(57)【特許請求の範囲】
【請求項１】
第１の品質のコンテンツデータと上記第１の品質のコンテンツデータよりも品質の低い第２の品質のコンテンツデータとが少なくとも記録された記録媒体からデータを読み出すヘッド部と、
上記ヘッド部からの出力信号が供給され、上記供給された出力信号にデコード処理を施すデコード処理部と、
再生モードおよびコピーモードに応じて上記記録媒体から読み出されるコンテンツデータを切り替えて出力する出力制御部と、
上記再生モードでは、上記出力制御部から出力された上記第１の品質のコンテンツデータに対応するディジタル出力データをアナログ信号に変換する変換処理部と
を備え、
上記再生モードでは、上記ヘッド部によって上記記録媒体から上記第１の品質のコンテンツデータを読み出して上記デコード処理部に供給し、上記デコード処理部からのディジタル出力データを上記変換処理部によってアナログ信号に変換したアナログ出力データのみを出力し、
上記コピーモードでは、上記ヘッド部によって上記記録媒体から上記第２の品質のコンテンツデータを読み出して上記デコード処理部に供給し、上記デコード処理部からのディジタル出力データのみを出力する
ことを特徴とする記録媒体の再生装置。
【請求項２】
さらに、上記再生モードにおいて、接続される機器との間で認証を行う認証処理部を備え、
上記認証処理部による認証が正しく行われた場合には、上記アナログ出力データに加えて上記デコード処理部からのディジタル出力データを出力し、
上記認証処理部による認証が正しく行われなかった場合には、上記アナログ出力データのみを出力する
ことを特徴とする請求項１に記載の記録媒体の再生装置。
【請求項３】
さらに、上記コピーモードにおいて、接続される機器との間で認証を行う認証処理部をさらに備え、
上記認証処理部による認証が正しく行われた場合には、上記認証処理部は、上記出力制御部からのディジタル出力データを出力し、
上記認証処理部による認証が正しく行われなかった場合には、上記出力制御部からのディジタル出力データの出力を禁止する
ことを特徴とする請求項１に記載の記録媒体の再生装置。
【請求項４】
第１の品質のコンテンツデータと上記第１の品質のコンテンツデータよりも品質の低い第２の品質のコンテンツデータとが少なくとも記録された記録媒体から、再生モードおよびコピーモードに応じて選択されたコンテンツデータを読み出し、
上記再生モードでは、上記記録媒体から上記第１の品質のコンテンツデータを読み出し、デコード処理を行い、デコード処理されたディジタル出力データをアナログ信号に変換したアナログ出力データのみを出力し、
上記コピーモードでは、上記記録媒体から上記第２の品質のコンテンツデータのみを読み出し、デコード処理し、デコード処理されたディジタル出力データのみを出力する
ことを特徴とする記録媒体の再生方法。
【請求項５】
上記再生モードにおいて、接続される機器との間で認証を行い、上記認証が正しく行われた場合には、上記アナログ出力データに加えて上記デコード処理されたディジタル出力データを出力し、
上記認証が正しく行われなかった場合には、上記アナログ出力データのみを出力する
ことを特徴とする請求項４に記載の記録媒体の再生方法。
【請求項６】
上記コピーモードにおいて、接続される機器との間で認証を行い、上記認証が正しく行われた場合には、上記ディジタル出力データを出力し、
上記認証が正しく行われなかった場合には、上記ディジタル出力データの出力を禁止する
ことを特徴とする請求項４に記載の記録媒体の再生方法。
【請求項７】
第１の品質のコンテンツデータと上記第１の品質のコンテンツデータよりも品質の低い第２の品質のコンテンツデータとが少なくとも記録された第１の記録媒体からデータを読み出す読み出しヘッド部と、
上記読み出しヘッド部からの出力信号が供給され、上記供給された出力信号にデコード処理を施すデコード処理部と、
再生モードおよびコピーモードに応じて上記記録媒体から読み出されるコンテンツデータを切り替えて出力する出力制御部と、
上記再生モードでは、上記出力制御部から出力された上記第１の品質のコンテンツデータに対応するディジタル出力データをアナログ信号に変換する変換処理部と
上記コピーモードでは、上記出力制御部からのディジタル出力データに記録のためのエンコード処理を施して第２の記録媒体に記録する記録部と
を備え、
上記再生モードでは、上記読み出しヘッド部によって上記第１の記録媒体から上記第１の品質のコンテンツデータをのみを読み出して上記デコード処理部に供給し、上記デコード処理部からのディジタル出力データを上記変換処理部によってアナログ信号に変換したアナログ出力データのみを出力し、
上記第１の記録媒体から読み出されたデータのコピーモードでは、上記読み出しヘッド部によって上記第１の記録媒体から上記第２の品質のコンテンツデータを読み出して上記デコード処理部に供給し、上記デコード処理部からのディジタル出力データを上記記録部に供給し、上記第２の記録媒体に記録する
ことを特徴とする記録媒体の記録再生装置。
【発明の詳細な説明】
【０００１】
【発明の属する技術分野】
この発明は、比較的大容量の記録媒体に対してコンテンツデータ例えばディジタルオーディオ信号を記録する記録媒体の再生装置および方法、並びに記録媒体の記録再生装置に関する。
【０００２】
【従来の技術】
近年、ＣＤ(Compact Disc)に比してより高品質のディジタルオーディオデータが記録されたＳＡＣＤ(Super Audio CD)、ＤＶＤ(Digital Versatile Disc またはDigital Video Disc)オーディオが市場に導入されている。これらの媒体のディジタルオーディオ出力については、著作権保護の点からかなり低品質例えばＣＤ以下の音質にダウンコンバートした場合のみに認められるのが実情である。
【０００３】
図９は、従来のＤＶＤオーディオプレーヤの概略を示す。１が光ディスク例えばＤＶＤオーディオ規格でディジタルオーディオ信号が記録された光ディスクである。光ディスク１は、スピンドルモータ２によって回転され、光ピックアップ３によって光ディスク１に記録されている情報が読み取られる。光ピックアップ３の読取出力がＲＦ処理ブロック４に供給される。ＲＦ処理ブロック４からのＲＦ信号が復調部５に供給される。スピンドルモータ２の回転、光ピックアップ３のトラッキングおよびフォーカス、並びに光ピックアップ３をディスク径方向に送る送りモータ（図示しない）の動作がサーボブロック６によって制御される。
【０００４】
復調部５は、８−１６変換の復調を行い、１６ビットのコードに対応する８ビットのデータを出力する。復調部５の出力データがエラー訂正回路７に供給される。エラー訂正回路７は、リードソロモン符号を使用した積符号の構成のエラー訂正符号を使用してエラーを訂正するものである。エラー訂正回路７の訂正後の出力データが暗号化を復号するデクリプタ８に供給される。
【０００５】
ＤＶＤでは、書き換え可能なＤＶＤの最内周部の再生専用領域（ＲＯＭ部分）にメディアＩＤを記録し、メディアＩＤとＭＫＢ(Media Key Block) のハッシュ値を鍵データとして暗号化されたコンテンツをそのディスクに記録することによって、不正コピーを防止するようになされている。メディアＩＤは、ディスク毎に異なる値であり、ユーザが書き換えることをできないので、たとえデータ部分を他の別のディスクに不正にコピーしても、メディアＩＤが元のディスクとは異なるので、そのデータ部分を復号することが不可能である。デクリプタ８は、光ディスク１のメディアＩＤを使用して復号するものである。
【０００６】
デクリプタ８からのディジタルオーディオデータがローパスフィルタ９を介してＤ／Ａコンバータ１０に供給され、出力端子１１にアナログの再生オーディオ信号が取り出される。例えばサンプリング周波数が９６ｋHzで、量子化ビット数が２４ビットの量子化がされている場合では、ローパスフィルタ９の通過帯域が１９２ｋHzとされる。さらに、デクリプタ８の出力は、ダウンコンバータ１２に供給され、ダウンコンバータ１２によってサンプリング周波数４４．１ｋHzで１サンプル１６ビットに変換されたディジタルオーディオ信号が出力端子１３に取り出される。このディジタルオーディオ信号は、ＤＶＤオーディオに比して品質が劣り、ＣＤのディジタルオーディオ信号と同等の品質のものである。
【０００７】
【発明が解決しようとする課題】
従来の構成では、ディジタル出力は、他の記録可能な媒体に記録されるためのデータとして扱われる。しかしながら、ディジタル出力をＤ／Ａ変換することによって低品質のオーディオ再生が行なわれることになる。この場合では、ＤＶＤオーディオの再生音に比較して品質の悪いオーディオ再生がなされる。若し、ディジタル出力が低品質であることをユーザが明確に意識しないと、ディジタル出力の再生音に対する品質の不満が生じるおそれがある。また、ダウンコンバータのような品質を落とすための信号処理部が必要となり、ハードウエアの複雑化、消費電力の増大を招く問題がある。
【０００８】
したがって、この発明の目的は、媒体に対して高品質のコンテンツデータと低品質のコンテンツデータとを記録しておき、高品質のコンテンツデータのみを再生可能とし、低品質のコンテンツデータのみをディジタル出力するようにした記録媒体の再生装置および方法、並びに記録媒体の記録再生装置を提供することにある。
【０００９】
【課題を解決するための手段】
上述した課題を達成するために、請求項１の発明は、第１の品質のコンテンツデータと第１の品質のコンテンツデータよりも品質の低い第２の品質のコンテンツデータとが少なくとも記録された記録媒体からデータを読み出すヘッド部と、
ヘッド部からの出力信号が供給され、供給された出力信号にデコード処理を施すデコード処理部と、
再生モードおよびコピーモードに応じて記録媒体から読み出されるコンテンツデータを切り替えて出力する出力制御部と、
再生モードでは、出力制御部から出力された第１の品質のコンテンツデータに対応するディジタル出力データをアナログ信号に変換する変換処理部と
を備え、
再生モードでは、ヘッド部によって記録媒体から第１の品質のコンテンツデータを読み出してデコード処理部に供給し、デコード処理部からのディジタル出力データを変換処理部によってアナログ信号に変換したアナログ出力データのみを出力し、
コピーモードでは、ヘッド部によって記録媒体から第２の品質のコンテンツデータを読み出してデコード処理部に供給し、デコード処理部からのディジタル出力データのみを出力する
ことを特徴とする記録媒体の再生装置である。
【００１０】
請求項４の発明は、第１の品質のコンテンツデータと第１の品質のコンテンツデータよりも品質の低い第２の品質のコンテンツデータとが少なくとも記録された記録媒体から、再生モードおよびコピーモードに応じて選択されたコンテンツデータを読み出し、
再生モードでは、記録媒体から第１の品質のコンテンツデータを読み出し、デコード処理を行い、デコード処理されたディジタル出力データをアナログ信号に変換したアナログ出力データのみを出力し、
コピーモードでは、記録媒体から第２の品質のコンテンツデータのみを読み出し、デコード処理し、デコード処理されたディジタル出力データのみを出力する
ことを特徴とする記録媒体の再生方法である。
【００１１】
請求項７の発明は、第１の品質のコンテンツデータと第１の品質のコンテンツデータよりも品質の低い第２の品質のコンテンツデータとが少なくとも記録された第１の記録媒体からデータを読み出す読み出しヘッド部と、
読み出しヘッド部からの出力信号が供給され、供給された出力信号にデコード処理を施すデコード処理部と、
再生モードおよびコピーモードに応じて記録媒体から読み出されるコンテンツデータを切り替えて出力する出力制御部と、
再生モードでは、出力制御部から出力された第１の品質のコンテンツデータに対応するディジタル出力データをアナログ信号に変換する変換処理部と
コピーモードでは、出力制御部からのディジタル出力データに記録のためのエンコード処理を施して第２の記録媒体に記録する記録部と
を備え、
再生モードでは、読み出しヘッド部によって第１の記録媒体から第１の品質のコンテンツデータをのみを読み出してデコード処理部に供給し、デコード処理部からのディジタル出力データを変換処理部によってアナログ信号に変換したアナログ出力データのみを出力し、
第１の記録媒体から読み出されたデータのコピーモードでは、読み出しヘッド部によって第１の記録媒体から第２の品質のコンテンツデータを読み出してデコード処理部に供給し、デコード処理部からのディジタル出力データを記録部に供給し、第２の記録媒体に記録する
ことを特徴とする記録媒体の記録再生装置である。
【００１３】
この発明では、高品質の第１のコンテンツデータのみが再生可能であるので、低品質のコンテンツデータが再生されることによって、再生信号の品質が低くなることを防止できる。また、この発明では、ディジタル出力可能であるのは、低品質のコンテンツデータのみであり、高品質のコンテンツデータの不正なディジタルコピーを防止でき、著作権者がコンテンツを安心して提供することができる。
【００１４】
【発明の実施の形態】
以下、この発明の一実施形態について説明する。この一実施形態は、光ディスクに対してこの発明を適用した例である。図１において参照符号２１Ａは、この発明を適用できる光ディスクの一例を示す。２層の信号記録層Ｒ１およびＲ２が形成されており、再生用レーザ光が片側の面から入射される。レーザ光のフォーカスを各信号記録層Ｒ１、Ｒ２に合わせることによって、各信号記録層Ｒ１、Ｒ２に記録されているデータを読み取ることができる。
【００１５】
図２において参照符号２１Ｂは、この発明を適用できる光ディスクの他の例を示す。図２は、光ディスク２１Ｂが２つのセッションを有する。すなわち、記録領域がその径方向に２分割され、第１の記録領域ＰＡ１と、第２の記録領域とが設けられている光ディスクである。ディスク１の最内周側のクランピングエリアの外周にリードインエリアＬＩ１が配され、リードインエリアＬＩ１の外側にプログラムエリアとしての第１の記録領域ＰＡ１が配され、この第１の記録領域ＰＡ１の外側にリードアウトエリアＬＯ１が配される。リードアウトエリアＬＯ１の外側にリードインエリアＬＩ２が配され、リードインエリアＬＩ２の外側にプログラムエリアとしての第２の記録領域ＰＡ２が配され、第２の記録領域ＰＡ２の外側にリードアウトエリアＬＯ２が配される。
【００１６】
リードインエリアＬＩ１、記録領域ＰＡ１、リードアウトエリアＬＯ１によって第１セッションが構成され、リードインエリアＬＩ２、記録領域ＰＡ２、リードアウトエリアＬＯ２によって第２セッションが構成される。例えば光ディスク２１Ｂをドライブに装着した時に最初に読み取られるリードインエリアＬＩ１に、第１の記録領域ＰＡ１と第２の記録領域ＰＡ２とのディスク上の位置（アドレス）が記録されている。
【００１７】
そして、上述した光ディスクに対して、第１の品質の第１のコンテンツデータと、第２の品質の第２のコンテンツデータとが記録されている。第１の品質は、第２の品質より高いものとされており、以下、第１の品質を高品質、第２の品質を低品質と適宜呼ぶことにする。一例として、図１に示す２層光ディスク２１Ａの場合では、レーザ光の入射面に近い信号記録層Ｒ１に高品質データが記録され、他方の信号記録層Ｒ２に低品質データが記録される。また、マルチセッション形の光ディスク２１Ｂの場合では、第１セッションに高品質データが記録され、第２セッションに低品質データが記録されている。このように、信号記録層と記録されているデータの品質との対応関係が固定されている必要は必ずしもない。但し、この関係が非固定の場合には、信号記録層またはセッションと記録されているデータの品質の関係を示すデータがリードインエリアＬＩ１等に記録されていることが必要とされる。
【００１８】
高品質および低品質は、相対的な評価である。一般的には、リニアＰＣＭ、ＷＡＶ（標準的に使用されているオーディオファイル形式）等の非圧縮オーディオデータが高品質で、圧縮オーディオデータが低品質である。また、ＤＶＤオーディオ規格（特に９６ｋHzのサンプリング周波数で、２４ビット量子化のフォーマット）またはＳＡＣＤ(SuperAudio CD)規格のデータが高品質で、ＣＤ−ＤＡ(Digital Audio) 規格のデータが低品質である。ＳＡＣＤは、ΔΣ変調の出力を直接扱うＤＳＤ(Direct Stream Digital)方式を使用し、サンプリング周波数は、２．８２２４ＭHzで１ビットストリームのデータが記録されている。高品質データおよび低品質データの何れも暗号化されている。但し、暗号化の方式が同一である必要はない。好ましくは、低品質データは、圧縮データである。ＭＰ３、ＡＣ−３(Audio Compression-3)、ＡＴＲＡＣ(Adaptive Transfer Acoustic Coding) 等の圧縮符号化を使用できる。圧縮データとされているので、コピーを行う場合の所要時間を短いものとできる。
【００１９】
以下、図３を参照してこの発明の一実施形態について説明する。参照符号２１は、図１を参照して説明した２層光ディスク２１Ａまたは図２を参照して説明したマルチセッション形光ディスク２１Ｂの何れかであり、高品質データと低品質データとが記録されているＲＯＭ（読み出し専用）形の光ディスクである。一例として、光ディスク２１には、高品質データとしてＤＶＤオーディオ規格（特に９６ｋHzのサンプリング周波数で、２４ビット量子化のフォーマット）のデータが記録され、低品質データとしてＣＤ−ＤＡ規格のデータまたは圧縮されたデータが記録されている。
【００２０】
光ディスク２１は、スピンドルモータ２２によって回転され、光ピックアップ２３によって光ディスク２１に記録されている情報が読み取られる。光ピックアップ２３の読取出力がＲＦ処理ブロック２４に供給される。ＲＦ処理ブロック２４には、プリアンプ、イコライザ等が含まれている。ＲＦ処理ブロック２４からのＲＦ信号が復調部２５に供給される。スピンドルモータ２２の回転、光ピックアップ２３のトラッキングおよびフォーカス、並びに光ピックアップ２３をディスク径方向に送る送りモータ（図示しない）の動作がサーボブロック２６によって制御される。
【００２１】
復調部２５は、８−１６変換の復調を行い、１６ビットのコードに対応する８ビットのデータを出力する。復調部２５の出力データがエラー訂正回路２７に供給される。エラー訂正回路２７は、リードソロモン符号を使用した積符号の構成のエラー訂正符号を使用してエラーを訂正するものである。エラー訂正回路２７の訂正後の出力データがセレクタ２８に供給される。
【００２２】
セレクタ２８は、判定部２９の出力によって制御され、一方の出力端子Ｈと他方の出力端子Ｌとに選択的に再生データを出力するものである。参照符号３０は、ディスク再生装置の全体の動作を制御するシステムコントローラである。システムコントローラ３０には、ユーザが操作するキー部３１と、メニュー、動作状態等を表示する表示部３２とが接続されている。さらに、復調部２５からシステムコントローラ３０に対して、リードインエリアから読み取られたＴＯＣデータと光ディスクのアドレスデータとが供給される。
【００２３】
システムコントローラ３０は、ユーザがキー部３１におけるキー操作に応答して判定部２９を制御し、判定部２９によってサーボブロック２６およびセレクタ２８を制御する。サーボブロック２６に対する制御は、光ディスク２１が２層ディスクか、マルチセッションディスクかで異なる。２層ディスクの場合では、フォーカスが制御され、マルチセッションディスクの場合では、再生位置が制御される。光ピックアップ２３の再生位置を制御する場合とこの制御の態様については、後で詳細に説明する。
【００２４】
セレクタ２８の出力端子Ｈは、高品質データを出力する場合に選択される。高品質データが暗号化を復号するデクリプタ３３およびゲート３７に供給される。光ディスク２１がＤＶＤで採用されているのと同様の暗号化方式を採用している場合では、デクリプタ３３は、光ディスク２１のメディアＩＤを使用して暗号化データを復号するものである。デクリプタ３３からのディジタルオーディオデータがローパスフィルタ３４を介してＤ／Ａコンバータ３５に供給され、出力端子３６にアナログの再生オーディオ信号が取り出される。例えばサンプリング周波数が９６ｋHzで２４ビットのＤＶＤオーディオの規格のデータがアナログオーディオ信号に変換されて出力端子３６から出力される。
【００２５】
ゲート３７に対してセキュアブロック（図ではＳＡＣ(Secure AuthenticationChannel)と表す）３８が接続される。セキュアブロック３８には、出力端子３９を介して再生専用機器例えばディジタルアンプが接続される。セキュアブロック３８は、ディジタルアンプとの間で認証を行い、認証が成立した場合にのみ、正規のディジタルアンプと判定する。すなわち、予め許可された再生のみが可能なディジタルアンプによって再生が可能となり、それ以外のディジタルレコーダ等には、ディジタル出力の供給が禁止される。
【００２６】
セキュアブロック３８の認証の結果が判定部４０に供給され、判定部４０の出力によってゲート３７のオン／オフ動作が選択される。すなわち、出力端子３９に選択されたディジタルアンプが正規のものであると認証が成立すると、ゲート３７がオンとされ、高品質のディジタル出力がディジタルアンプを介して再生することが可能となる。
【００２７】
なお、図３に示す再生装置および後述する他の実施形態およびさらに他の実施形態による再生装置は、専用のハードウエアに限らず、パーソナルコンピュータとソフトウェアによって実現することが可能である。
【００２８】
セレクタ２８の他方の出力端子Ｌを介して暗号化され、好ましくは、圧縮されている低品質データが取り出され、低品質のデータがセレクタ４１に供給される。セレクタ４１は、出力端子ａおよびｂを有し、出力端子ａに取り出されたデータがセキュアブロック４２に供給される。セレクタ４１の出力端子ｂに取り出されたデータが暗号化を復号するデクリプタ４３に供給される。デクリプタ４３の出力データが再暗号化を行うリエンクリプタ４４によって再暗号化される。リエンクリプタ４４の出力データがセキュアブロック４２に供給される。セキュアブロック４２からのディジタル出力がディジタル出力端子４５に取り出される。
【００２９】
セキュアブロック４２の認証の結果が判定部４６に供給される。判定部４６は、セレクタ４１を制御するセレクト信号を生成する。判定部４６は、システムコントローラ３０によって制御される。判定部４６は、セキュアブロック４２の認証の結果に応じてディジタル出力の可否を切り換える。すなわち、セキュアブロック４２によって、出力端子４５に接続される記録機器が正規の記録機器であれば、ディジタル出力を可能とする。若し、認証が成立しなければ、違法なコピーがなされるおそれがあるので、セレクタ４１から出力が発生しないように、セレクタ４１が判定部４６からのセレクト信号で制御される。
【００３０】
また、図３に示す再生装置と出力端子４５に接続された記録機器との間で認証が成立した場合には、再暗号化を行うか否かに応じてセレクタ４１が制御される。再暗号化を行なわない場合では、セレクタ４１の出力端子ａが選択され、再暗号化を行う場合では、セレクタ４１の出力端子ｂが選択される。再暗号化を行うか否かは、ユーザが選択する。ユーザの選択の代わりに出力端子４５に接続される機器の種類に応じて暗号化を行なうか否かを制御しても良い。例えば出力端子４５に対してパーソナルコンピュータが接続される場合には、再暗号化がなされ、コンシューマ機器の場合では、再暗号化がなされない。再暗号化によって、暗号化が解読された場合の影響を限定できる。
【００３１】
上述したセレクタ２８に対する制御について説明する。この制御の態様は、二つの方法が可能である。第１の方法は、光ピックアップ２３が光ディスク２１のどの位置を読み取っているかによってセレクタ２８を制御する方法である。ＴＯＣの情報から高品質のデータと低品質のデータが光ディスク２１上のどの領域または層に記録されているかをシステムコントローラ３０が知ることができるので、現在の再生位置が高品質の記録領域内または記録層内であれば、セレクタ２８が出力端子Ｈを選択し、再生位置が低品質の記録領域内または記録層内であれば、セレクタ２８が出力端子Ｌを選択するようにセレクタ２８を選択することができる。
【００３２】
第２の方法は、ユーザが指示した動作モードに応じてセレクタ２８および光ディスクへのアクセスを制御する方法である。ユーザがキー部３１の所定のキーを操作することによって再生動作を指示した場合では、セレクタ２８が出力端子Ｈを選択し、また、再生位置が高品質データの記録領域または記録層となるように、サーボブロック２６に対する制御信号が発生する。一方、ユーザがキー部３１において、コピー出力を指示するキーを操作した場合では、セレクタ２８が出力端子Ｌを選択し、また、再生位置が低品質データの記録領域または記録層となるように、サーボブロック２６に対する制御信号が発生する。さらに、第１の方法と第２の方法とをユーザが選択可能としても良い。
【００３３】
図４は、判定部２９、システムコントローラ３０および判定部４６によってなされ、動作モードに応じてセレクタ２８および光ディスクに対するアクセスを制御する方法の流れを示すフローチャートである。最初のステップＳ１において、動作モードが再生動作か、コピー動作（またはディジタル出力動作）かが決定される。再生動作であれば、高品質コンテンツがアクセスされる（ステップＳ２）。そして、再生動作がなされる（ステップＳ３）。出力端子３６には、アナログ再生出力が取り出され、出力端子３９には、再生専用機器であるとの認証が成立した場合には、ディジタル再生出力が取り出される。
【００３４】
ステップＳ１において、動作モードがコピーであると判定されると、ステップＳ４において低品質コンテンツがアクセスされる。ステップＳ５において、再暗号化が必要か否かが判定される。上述したように、パーソナルコンピュータが出力端子４５に接続される場合では、再暗号化が必要と判断され、ステップＳ６において暗号化の復号がなされる。そして、ステップＳ７において、新たな鍵で再暗号化がなされる。そして、セキュアブロック４２を介して出力端子４５からディジタル出力が出力される（ステップＳ８）。ステップＳ５において、暗号化が必要でないと判定された場合では、ステップＳ９で出力端子４５からディジタル出力が発生する。
【００３５】
図５に示すフローチャートは、光ディスク２１の高品質コンテンツに対してアクセスした場合の動作を示すものである。ステップＳ１１において、動作モードが再生か否かが判定される。若し、再生であれば、ステップＳ１２において、高品質データが再生される。再生でない場合では、ストップ状態とされる（ステップＳ１３）。
【００３６】
図６に示すフローチャートは、光ディスク２１の低品質コンテンツに対してアクセスした場合の動作を示すものである。ステップＳ２１において、動作モードが再生か否かが判定される。若し、再生であれば、ステップＳ２２において、ストップ状態とされる。再生でない場合では、出力端子４５からディジタル出力が取り出される（ステップＳ２３）。
【００３７】
次に、図７を参照してこの発明の他の実施形態について説明する。他の実施形態は、二つの光ディスクのドライブを備えた所謂ダブルデッキ構成である。参照符号５１が記録可能な光ディスク例えばＤＶＤ−Ｒ(DVD-Recordable)を示す。光ディスク５１としては、ＣＤ−Ｒ(Recordable)、ＣＤ−ＲＷ(ReWritable)、、ＤＶＲ(Digital Video Recording system)等の書き換え形または追記形の光ディスクを使用できる。光ディスク５１は、スピンドルモータ５２によって回転され、光ピックアップ５３によってデータが記録される。モータ５２および光ピックアップ５３は、サーボブロック５４によって制御される。
【００３８】
サーボブロック５４は、システムコントローラ３０によって制御される。図示しないが、システムコントローラ３０には、光ディスク５１に予め記録されているアドレス情報が供給され、所定のアドレスに対してデータが記録される。アドレス情報は、例えば光ディスク５１上に形成されたウォブリンググルーブに記録されている。すなわち、ディスク径方向に微小な振幅で振動するグルーブが予め光ディスク５１に形成されており、ウォブリング情報としてクロック情報の他にＦＭ変調によってアドレス情報を記録することができる。
【００３９】
セレクタ２８を制御する判定部２９は、上述した一実施形態におけるものと同様の機能を有するものである。判定部２９は、動作モードが再生の場合では、セレクタ２８が出力端子Ｈを選択し、これがコピーの場合では、セレクタ２８が出力端子Ｌを選択するように、セレクタ２８を制御する。セレクタ２８の出力端子Ｈから取り出された高品質データがデクリプタ３３に供給され、デクリプタ３３において暗号化が復号され、さらに、帯域制現用のローパスフィルタ３４を介してＤ／Ａコンバータ３５に供給され、出力端子３６にアナログ再生出力として取り出される。
【００４０】
動作モードがコピーである場合に、セレクタ２８の出力端子Ｌから取り出された低品質データがエラー訂正符号化回路５５に供給され、リードソロモン符号を使用した積符号によりエラー訂正符号化の処理を受ける。エラー訂正符号化回路５５の出力が変調部５６で８−１６変調の処理を受け、変調部５６の出力が記録回路５７に供給される。
【００４１】
記録回路５７では、フレーム同期信号、アドレス等の付加の処理が行われ、また、記録回路５７のレーザドライバでは、光ディスク５１に対して記録データを記録するための所定のレベルを有するドライブ信号が生成される。レーザドライバの出力が光ピックアップ５３の半導体レーザに対して供給され、半導体レーザからドライブ信号に基づいて変調されたレーザ光が光ディスク５１に照射され、データが記録される。
【００４２】
上述したこの発明の他の実施形態では、光ディスク２１に記録されている低品質データが暗号化がされた状態で、光ディスク５１に対してコピーされる。好ましくは、ｎ倍速（ｎは、４，８，１６，２４等の値である）で高速コピーできるようになされる。さらに、低品質データが圧縮されているデータであれば、より高速でコピーが可能である。
【００４３】
図８を参照してこの発明のさらに他の実施形態について説明する。光ディスク２１は、図２に示したマルチセッション形の光ディスクであり、内周側の第１セッションには、ＣＤ−ＤＡと同一の規格のリニアＰＣＭデータ（高品質データ）が記録され、外周側の第２セッションには、ＣＤ−ＲＯＭ規格の圧縮オーディオデータ（低品質データ）が記録されている。低品質データは、暗号化されている。また、光ディスク２１の形状および物理的特性は、ＣＤ−ＤＡと同一とされている。さらに、第１セッションの記録密度がＣＤ−ＤＡと等しい密度とされている。第２セッションの記録密度は、ＣＤ−ＤＡと等しいか、またはより高い密度とされている。例えばＣＤ−ＤＡの規格の許容範囲内で、トラックピッチを小とし、また、線速度を小さくすることによって、高密度化を達成できる。高密度化を行なった場合、ドライブは、第１および第２セッションの間で、線速度を切り換えることが必要となる。
【００４４】
光ピックアップ２３の再生出力がＲＦ処理ブロック２４に供給され、ＲＦ信号がＥＦＭ（eight to fourteen modulation）の復調部２５に供給され、トラッキングエラー信号、フォーカスエラー信号がサーボブロック２６に供給される。復調部２５の復調出力がエラー訂正回路２７に供給される。復調部２５から得られたアドレス情報（時間情報）がシステムコントローラ３０に供給される。エラー訂正回路２７は、ＣＩＲＣ(Cross Interleaved Reed Solomon Code) の復号を行う。
【００４５】
エラー訂正回路２７の出力が判定部２９の出力で制御されるセレクタ２８に供給される。判定部２９は、再生位置に応じてセレクタ２８を制御し、または動作モードに応じてセレクタ２８を制御する。出力端子Ｈから取り出された高品質データが補間回路６１に供給される。補間回路６１は、エラー訂正回路２７において訂正できなかったエラーを補間するものである。補間回路６１の出力データがローパスフィルタ３４を介してＤ／Ａコンバータ３５に供給され、Ｄ／Ａコンバータ３５からのアナログ再生出力が出力端子３６に取り出される。
【００４６】
セレクタ２８の出力端子Ｌから取り出された低品質データがＣＤ−ＲＯＭデコーダ６２に供給され、ＣＤ−ＲＯＭのフォーマットが分解され、暗号化された圧縮オーディオデータがＣＤ−ＲＯＭデコーダ６２から出力される。ＣＤ−ＲＯＭデコーダ６２の出力データがセキュアブロック４２に供給される。セキュアブロック４２は、出力端子４５に接続された記録機器との間で認証を行い、認証が成立した記録機器に対してのみデータを出力するようになされる。なお、一実施形態と同様に、出力端子４５に接続される機器がパーソナルコンピュータの場合に、再暗号化を行うようにしても良い。
【００４７】
この発明は、上述したこの発明の一実施形態等に限定されるものでは無く、この発明の要旨を逸脱しない範囲内で様々な変形や応用が可能である。例えばこの発明は、光ディスク限らず、他のデータ記録媒体に対しても適用することができる。また、この発明は、オーディオデータ以外に画像データに対しても適用することができる。例えば高解像度と低解像度の映像コンテンツを記録し、高解像度データのみを再生でき、低解像度データをディジタル出力するようにしても良い。また、圧縮率を異ならせた映像ソフトを１枚の光ディスクに記録し、圧縮率が低い高品質データのみを再生でき、圧縮率が高い低品質データをディジタル出力するようにしても良い。
【００４８】
【発明の効果】
この発明では、再生することができるのは、高品質データのみとされているので、再生コンテンツの品質が保証できる。また、この発明では、ディジタルコピー可能なものは、低品質データであるので、著作権者は、コンテンツを安心して提供することができる。さらに、この発明では、ディジタル出力を生成するために、ダウンコンバータ等の品質を変換するためのハードウエアを設ける必要がない利点がある。
【図面の簡単な説明】
【図１】この発明に使用することができる光ディスクの一例を説明するための一部断面図である。
【図２】この発明に使用することができる光ディスクの他の例を説明するための略線図である。
【図３】この発明の一実施形態のブロック図である。
【図４】この発明の一実施形態の処理の流れを示すフローチャートである。
【図５】この発明の一実施形態の処理の流れを示すフローチャートである。
【図６】この発明の一実施形態の処理の流れを示すフローチャートである。
【図７】この発明の他の実施形態のブロック図である。
【図８】この発明のさらに他の実施形態のブロック図である。
【図９】従来のディスク再生装置の一例のブロック図である。
【符号の説明】
２１・・・光ディスク、２３・・・光ピックアップ、２８・・・セレクタ、３０・・・システムコントローラ、３３，４３・・・デクリプタ、３６・・・アナログ出力端子、３８、４２・・・セキュアブロック、４４・・・リエンクリプタ、４５・・・ディジタル出力端子、５１・・・記録可能な光ディスク
【図１】
0003870734.tif 000002
【図２】
0003870734.tif 000003
【図３】
0003870734.tif 000004
【図４】
0003870734.tif 000005
【図５】
0003870734.tif 000006
【図６】
0003870734.tif 000007
【図７】
0003870734.tif 000008
【図８】
0003870734.tif 000009
【図９】
0003870734.tif 000010